(57)【要約】【課題】各拠点の映像中に設定された複数の領域それぞれの表示態様を、各領域の重み付けに応じて制御することが可能な情報処理システム、情報処理装置、及びプログラムを提供する。【解決手段】第１の撮像部と、第２の撮像部と、第１の情報処理装置と、第２の情報処理装置と、第１の画像中の第１の領域と、第１の領域に対する第１の重みとを設定するための第１の設定部と、第２の画像中の第２の領域と、第２の領域に対する第２の重みとを設定するための第２の設定部と、を備え、第１の表示部に表示される第２の画像中に設定された複数の第２の領域それぞれの表示態様と、複数の第２の表示部それぞれに表示される第１の画像中に設定された第１の領域の表示態様とは、複数の第２の領域それぞれに対して設定された前記第２の重みと、第１の領域に対して設定された前記第１の重みとに基づいて制御されることを特徴とする、情報処理システム。【選択図】図１
2015012369.tif 000002
【特許請求の範囲】
【請求項１】
画像を撮像する第１の撮像部と、
前記第１の撮像部とは異なる画像を撮像する第２の撮像部と、
前記第２の撮像部による撮像に基づく第２の画像を第１の表示部に表示させる第１の情報処理装置と、
前記第１の撮像部による撮像に基づく第１の画像を第２の表示部に表示させる第２の情報処理装置と、
を備えた情報処理システムであって、
前記第１の画像に対して、当該第１の画像中の第１の領域と、当該第１の領域に対する第１の重みとを設定するための第１の設定部と、
前記第２の画像に対して、当該第２の画像中の第２の領域と、当該第２の領域に対する第２の重みとを設定するための第２の設定部と、
を備え、
前記第１の表示部に表示される前記第２の画像中に設定された複数の前記第２の領域それぞれの表示態様と、複数の前記第２の表示部それぞれに表示される前記第１の画像中に設定された前記第１の領域の表示態様とは、当該複数の第２の領域それぞれに対して設定された前記第２の重みと、前記第１の領域に対して設定された前記第１の重みとに基づいて制御されることを特徴とする、情報処理システム。
【請求項２】
前記第１の表示部に表示される前記第２の画像中に設定された複数の前記第２の領域のうちの一の第２の領域の表示態様は、当該一の第２の領域に設定された前記第２の重みと、前記第１の重みとに基づいて制御されることを特徴とする、請求項１に記載の情報処理システム。
【請求項３】
前記第２の情報処理装置を複数備え、
前記第２の画像中に設定された複数の前記第２の領域は、それぞれ異なる前記第２の情報処理装置に対応付けられていることを特徴とする、請求項１または２に記載の情報処理システム。
【請求項４】
前記第１の情報処理装置を複数備え、
前記第１の画像中には、複数の前記第１の情報処理装置それぞれが対応付けられた複数の前記第１の領域が設定され、
複数の前記第１の情報処理装置のうちの一の第１の情報処理装置に対応する前記第１の表示部に表示される、前記第２の画像中に設定された複数の前記第２の領域のうちの一の第２の領域の表示態様は、当該一の第２の領域に設定された前記第２の重みと、当該一の第１の情報処理装置が対応付けられた前記第１の領域に設定された前記第１の重みとに基づいて制御されることを特徴とする、請求項１〜３のいずれか一項に記載の情報処理システム。
【請求項５】
前記第２の画像中に設定された複数の前記第２の領域のうち、一の第２の領域に対して設定された前記第２の重みが更新された場合に、当該一の第２の領域の表示態様と、前記第１の画像中の設定された前記第１の領域の表示態様とは、更新後の当該第２の重みと、前記第１の領域に対して設定された前記第１の重みとに基づいて更新されることを特徴とする、請求項１〜４のいずれか一項に記載の情報処理装置。
【請求項６】
前記第１の情報処理装置は、
前記第２の重みと、前記第１の重みとに基づいて、前記第２の領域の表示態様を制御する表示制御部を備えたことを特徴とする、請求項１〜５のいずれか一項に記載の情報処理システム。
【請求項７】
前記第１の設定部は、前記第１の情報処理装置の起動に連動して、前記第１の領域と、当該第１の領域に対する第１の重みとを設定するために、前記第１の表示部に表示させるための設定画面を生成することを特徴とする、請求項１〜６のいずれか一項に記載の情報処理システム。
【請求項８】
第１の撮像部による撮像に基づく第１の画像を取得する取得部と、
取得された前記第１の画像に対して、当該第１の画像中の第１の領域と、当該第１の領域に対する第１の重みとを設定するための設定部と、
前記第１の画像とは異なる第２の画像中に設定された１以上の第２の領域それぞれの表示態様を、当該１以上の第２の領域それぞれに対して設定された第２の重みと、前記第１の領域に対して設定された前記第１の重みとに基づいて制御する表示制御部と、
を備えたことを特徴とする情報処理装置。
【請求項９】
コンピュータに、
第１の撮像部による撮像に基づく第１の画像を取得するステップと、
取得された前記第１の画像に対して、当該第１の画像中の第１の領域と、当該第１の領域に対する第１の重みとを設定するためのステップと、
前記第１の画像とは異なる第２の画像中に設定された１以上の第２の領域それぞれの表示態様を、当該１以上の第２の領域それぞれに対して設定された第２の重みと、前記第１の領域に対して設定された前記第１の重みとに基づいて制御するステップと、
を実行させることを特徴とするプログラム。
【発明の詳細な説明】
【技術分野】
【０００１】
本発明は、情報処理システム、情報処理装置、及びプログラムに関する。
【背景技術】
【０００２】
映像通信装置間で双方向に映像を送信及び受信する映像通信システムにおいては、自分又は相手のありのままの映像を送信又は受信した場合に、不都合な状況が発生することがある。このため、複数の拠点のそれぞれに設置される情報表示装置に表示される他の拠点の映像の情報開示度を調整する技術が研究されている。例えば、自分を撮影している撮像装置のレンズカバーを閉めることによって、実際の自分の映像の代わりに、コンピュータグラフィックスにより作成されたアニメーション映像を相手側の情報表示装置に表示させる技術がある。この技術により、自分の映像を送信したくない状況において、自分が通信装置の前に居ることを相手に伝えながら、相手側の情報表示装置に表示される自分の映像の情報開示度を下げる（例えば、映像のボヤケ度合いを高くする）ことができる。
【０００３】
例えば、特許文献１には、複数の拠点の情報表示装置間で拠点（オフィス）の映像を相互に配信しあい、かつ各映像について映像全体の表示態様を制御することで開示度を調整可能とする映像配信システムの一例が開示されている。特に、相互に映像を配信しあい、かつ各映像の開示度を調整可能な映像配信システムでは、一方のみの情報が開示されることで、一方の側のユーザが、他方側のユーザから一方的に見られている（例えば、覗き見または監視されている）という、情報開示の不公平やプライバシーの侵害を感じる場合がある。そのため、特許文献１に係る発明では、一方の映像の開示度を調整した場合に、他方の映像の開示度を当該一方の映像にあわせて調整することで、情報開示の不公平やプライバシーの侵害感を解消している。
【先行技術文献】
【特許文献】
【０００４】
【特許文献１】特開２０１０−２７０５１０号公報
【発明の概要】
【発明が解決しようとする課題】
【０００５】
一方で、一方の側の拠点の俯瞰画像を取得し他方の側の拠点に配信する場合、当該俯瞰画像には複数のユーザが撮像されていることが少なくない。このようなユーザの中には、高い開示度を希望するユーザや、低い開示度を希望するユーザが混在する場合がある。このように、複数のユーザそれぞれが異なる開示度を希望する場合には、他方の側の拠点に配信する映像の開示度を一概に決定するのは難しい。換言すると、当該拠点の画像全体に対して一概に開示度を決定して表示態様を制御する構成の場合には、その拠点において複数のユーザがそれぞれ異なる開示度を希望している場合に、各ユーザの希望する開示度が競合し、各ユーザの希望を満足するに至らない場合がある。
【０００６】
そこで、本発明は、上記問題に鑑みてなされたものであり、本発明の目的とするところは、複数の拠点間において当該拠点の映像を相互に配信しあう場合に、各拠点の映像中に設定された複数の領域それぞれの表示態様を、各領域の重み付けに応じて制御することが可能な、新規かつ改良された情報処理システム、情報処理装置、及びプログラムを提供することにある。
【課題を解決するための手段】
【０００７】
上記課題を解決するために、本発明のある観点によれば、画像を撮像する第１の撮像部と、前記第１の撮像部とは異なる画像を撮像する第２の撮像部と、前記第２の撮像部による撮像に基づく第２の画像を第１の表示部に表示させる第１の情報処理装置と、前記第１の撮像部による撮像に基づく第１の画像を第２の表示部に表示させる第２の情報処理装置と、を備えた情報処理システムであって、前記第１の画像に対して、当該第１の画像中の第１の領域と、当該第１の領域に対する第１の重みとを設定するための第１の設定部と、前記第２の画像に対して、当該第２の画像中の第２の領域と、当該第２の領域に対する第２の重みとを設定するための第２の設定部と、を備え、前記第１の表示部に表示される前記第２の画像中に設定された複数の前記第２の領域それぞれの表示態様と、複数の前記第２の表示部それぞれに表示される前記第１の画像中に設定された前記第１の領域の表示態様とは、当該複数の第２の領域それぞれに対して設定された前記第２の重みと、前記第１の領域に対して設定された前記第１の重みとに基づいて制御されることを特徴とする、情報処理システムが提供される。
【０００８】
前記第１の表示部に表示される前記第２の画像中に設定された複数の前記第２の領域のうちの一の第２の領域の表示態様は、当該一の第２の領域に設定された前記第２の重みと、前記第１の重みとに基づいて制御されてもよい。
【０００９】
前記第２の情報処理装置を複数備え、前記第２の画像中に設定された複数の前記第２の領域は、それぞれ異なる前記第２の情報処理装置に対応付けられていてもよい。
【００１０】
前記第１の情報処理装置を複数備え、前記第１の画像中には、複数の前記第１の情報処理装置それぞれが対応付けられた複数の前記第１の領域が設定され、複数の前記第１の情報処理装置のうちの一の第１の情報処理装置に対応する前記第１の表示部に表示される、前記第２の画像中に設定された複数の前記第２の領域のうちの一の第２の領域の表示態様は、当該一の第２の領域に設定された前記第２の重みと、当該一の第１の情報処理装置が対応付けられた前記第１の領域に設定された前記第１の重みとに基づいて制御されてもよい。
【００１１】
前記第２の画像中に設定された複数の前記第２の領域のうち、一の第２の領域に対して設定された前記第２の重みが更新された場合に、当該一の第２の領域の表示態様と、前記第１の画像中の設定された前記第１の領域の表示態様とは、更新後の当該第２の重みと、前記第１の領域に対して設定された前記第１の重みとに基づいて更新されてもよい。
【００１２】
前記第１の情報処理装置は、前記第２の重みと、前記第１の重みとに基づいて、前記第２の領域の表示態様を制御する表示制御部を備えてもよい。
【００１３】
前記第１の設定部は、前記第１の情報処理装置の起動に連動して、前記第１の領域と、当該第１の領域に対する第１の重みとを設定するために、前記第１の表示部に表示させるための設定画面を生成してもよい。
【００１４】
また、上記課題を解決するために、本発明の別の観点によれば、第１の撮像部による撮像に基づく第１の画像を取得する取得部と、取得された前記第１の画像に対して、当該第１の画像中の第１の領域と、当該第１の領域に対する第１の重みとを設定するための設定部と、前記第１の画像とは異なる第２の画像中に設定された１以上の第２の領域それぞれの表示態様を、当該１以上の第２の領域それぞれに対して設定された第２の重みと、前記第１の領域に対して設定された前記第１の重みとに基づいて制御する表示制御部と、を備えたことを特徴とする情報処理装置が提供される。
【００１５】
また、上記課題を解決するために、本発明の別の観点によれば、コンピュータに、第１の撮像部による撮像に基づく第１の画像を取得するステップと、取得された前記第１の画像に対して、当該第１の画像中の第１の領域と、当該第１の領域に対する第１の重みとを設定するためのステップと、前記第１の画像とは異なる第２の画像中に設定された１以上の第２の領域それぞれの表示態様を、当該１以上の第２の領域それぞれに対して設定された第２の重みと、前記第１の領域に対して設定された前記第１の重みとに基づいて制御するステップと、を実行させることを特徴とするプログラムが提供される。
【発明の効果】
【００１６】
以上説明したように本発明によれば、複数の拠点間において当該拠点の映像を相互に配信しあう場合に、各拠点の映像中に設定された複数の領域それぞれの表示態様を、各領域の重み付けに応じて制御することが可能な情報処理システム、情報処理装置、及びプログラムが提供される。
【図面の簡単な説明】
【００１７】
【図１】本発明の実施形態に係る情報処理システムの概略的なシステム構成を示した図である。
【図２】領域の指定と強度の設定について説明するための図である。
【図３】同実施形態に係る情報処理システムにおける不鮮明処理の一例を示した図である。
【図４】同実施形態に係る情報処理装置の構成を示したブロック図である。
【図５】同実施形態に係る強度管理テーブルに記憶されるデータの一例を示した図である。
【図６】同実施形態に係る強度管理テーブルに記憶されるデータの一例を示した図である。
【図７】不鮮明処理を実現するための構成の一例を示した図である。
【図８】同実施形態に係る情報処理システムにおける処理の流れを示したフローチャートである。
【図９】同実施形態に係る情報処理システムにおける処理の流れを示したフローチャートである。
【図１０】同実施形態に係る情報処理システムにおける不鮮明処理の一例を示した図である。
【図１１】変形例１に係る情報処理システムにおける不鮮明処理の一例を示した図である。
【図１２】変形例２に係る情報処理システムの概略的なシステム構成を示した図である。
【図１３】変形例２に係る強度管理テーブルに記憶されるデータの一例を示した図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
＜実施形態＞
［概要］
まず、図１を参照して、本発明の実施形態に係る情報処理システムの概要について説明する。図１は、本発明の実施形態に係る情報処理システムの概略的なシステム構成を示した図である。図１に示すように、本実施形態に係る情報処理システム１は、異なる複数のシステム２Ａ及び２Ｂが、ネットワークｎ０を介して接続されて構成されている。システム２Ａ及び２Ｂは、例えば、異なる拠点ごとに設けられたシステムを模擬的に示している。また、ネットワークｎ０は、例えば、インターネット、専用線、ＬＡＮ（Ｌｏｃａｌ  Ａｒｅａ  Ｎｅｔｗｏｒｋ）、または、ＷＡＮ（Ｗｉｄｅ  Ａｒｅａ  Ｎｅｔｗｏｒｋ）のように、異なるシステム間を接続するネットワークであれば、その態様は限定されない。
【００２０】
なお、以降では、システム２Ａ及び２Ｂを、別々に構成された互いに異なるシステムとして説明するが、システム２Ａ及び２Ｂは、必ずしも別々に構成された互いに異なるシステムである必要はない。例えば、１つのシステムを、論理的に複数のサブシステムに分けて、それぞれをシステム２Ａ及び２Ｂとして管理する構成としてもよい。
【００２１】
図１に示す例では、システム２Ａは、撮像部９０Ａと、情報処理装置１０ａ〜１０ｃとを含む。撮像部９０Ａと、情報処理装置１０ａ〜１０ｃのそれぞれとは、ネットワークｎＡを介して接続されている。
【００２２】
また、図１に示す例では、情報処理装置１０ａには、映像を表示するための表示部３２ａと、情報を入力するための入力部３４ａとが接続されている。同様に、情報処理装置１０ｂ及び１０ｃには、表示部３２ｂ及び３２ｃと、入力部３４ｂ及び３４ｃとがそれぞれ接続されている。
【００２３】
また、システム２Ｂについてもシステム２Ａと同様である。即ち、システム２Ｂは、撮像部９０Ｂと、情報処理装置１０ｄ〜１０ｇとを含む。撮像部９０Ｂと、情報処理装置１０ｄ〜１０ｇのそれぞれとは、ネットワークｎＢを介して接続されている。また、情報処理装置１０ｄ〜１０ｇのそれぞれには、表示部３２ｄ〜３２ｇと、入力部３４ｄ〜３４ｇとが接続されている。なお、以降では、情報処理装置１０ａ〜１０ｇを特に区別しない場合には、単に「情報処理装置１０」と記載する場合がある。同様に、表示部３２ａ〜３２ｇを特に区別しない場合には、単に「表示部３２」と記載し、入力部３４ａ〜３４ｇを特に区別しない場合には、単に「入力部３４」と記載する場合がある。
【００２４】
撮像部９０Ａは、システム２Ａに対応する拠点やオフィスの映像を取得する（即ち、撮像する）。このとき取得される映像は、動画または静止画のような画像であり得る。同様に、撮像部９０Ｂは、システム２Ｂに対応する拠点やオフィスの映像を取得する。撮像部９０Ａ及び９０Ｂの具体的な一例として、動画または静止画を撮像可能なビデオカメラ（または、カメラ）が挙げられる。例えば、撮像部９０Ａは、拠点Ａの天井に設置され、拠点Ａの俯瞰画像を撮像する。なお、撮像部９０Ａまたは９０Ｂにより取得された（撮像された）映像を「画像」と称する場合がある。また、以降では、システム２Ａに対応する拠点やオフィスを「拠点Ａ」と記載し、システム２Ｂに対応する拠点やオフィスを「拠点Ｂ」と記載する場合がある。
【００２５】
撮像部９０Ａは、取得した拠点Ａの映像を、拠点Ｂ（システム２Ｂ）の情報処理装置１０ｄ〜１０ｇそれぞれに配信する。情報処理装置１０ｄ〜１０ｇそれぞれは、撮像部９０Ａから取得した映像を、自身に接続された表示部（即ち、表示部３２ｄ〜３２ｇ）に表示させる。同様に、撮像部９０Ｂは、取得した拠点Ｂの映像を、拠点Ａ（システム２Ａ）の情報処理装置１０ａ〜１０ｃそれぞれに配信する。情報処理装置１０ａ〜１０ｃそれぞれは、撮像部９０Ｂから取得した映像を、自身に接続された表示部（即ち、表示部３２ａ〜３２ｃ）に表示させる。このような構成により、拠点ＢのユーザＵｄ〜Ｕｇは、撮像部９０Ａで撮像された映像に基づき、拠点Ａの状況を把握することができる。同様に、拠点ＡのユーザＵａ〜Ｕｃは、撮像部９０Ｂで撮像された映像に基づき、拠点Ｂの状況を把握することができる。
【００２６】
なお、以降では、情報処理装置１０ａに配信された（表示部３２ａに表示された）映像を、映像Ｐ１ａと呼ぶ場合がある。同様に、情報処理装置１０ｃに配信された映像を映像Ｐ１ｃ、情報処理装置１０ｄに配信された映像を映像Ｐ１ｄ、情報処理装置１０ｆに配信された映像を映像Ｐ１ｆと呼ぶ場合がある。
【００２７】
また、情報処理システム１では、各ユーザは、自身が所属する拠点の映像に対して、領域を指定し、かつ、当該領域に情報の開示度を示す重みを設定することができる。ここで、自身が所属する拠点の映像とは、換言すると、自身が映った映像である。また、領域に設定された重みは、具体的には、情報の開示度を下げるための重みである。なお、以降では、この重みを「強度」（即ち、開示度を示す強度）と呼ぶ場合がある。このように、領域と強度を設定することで、情報処理システム１は、各拠点で表示される映像中に設定された領域に対して、各ユーザにより設定された強度に応じてぼかし等の不鮮明処理を施すことにより、当該領域の表示態様を制御する。この、情報処理システム１における領域の指定と強度の設定に関する動作と、映像中に指定された領域の表示態様を制御する動作の概要について、以下に例を挙げて説明する。
【００２８】
まず、図２を参照しながら、情報処理システム１の、領域の指定と強度の設定に関する動作について説明する。図２は、領域の指定と強度の設定について説明するための図である。図２に示す例は、拠点Ａ側のユーザＵｃが、撮像部９０Ａにより撮像された映像Ｐ０Ａに対して、情報の開示度を設定する領域Ｆ１ｃを設定し、当該領域Ｆ１ｃに対して強度を設定する場合を示している。
【００２９】
図２に示す例では、例えば、ユーザＵｃが操作する情報処理装置１０ｃは、拠点Ａを撮像した映像を撮像部９０Ａから取得し、表示部３２ｃに表示させる。このような構成により、ユーザＵｃは、入力部３４ｃを介して、例えば、映像Ｐ０Ａ中における自身の座席を示す領域を領域Ｆ１ｃとして指定し、当該領域Ｆ１ｃにおける情報の開示度が低くなるように強度を設定できる。このように、領域Ｆ１ｃと、当該領域Ｆ１ｃに対する強度とが設定されることで、映像Ｐ０Ａが拠点Ｂ側で表示される場合に、映像Ｐ０Ａ中の領域Ｆ１ｃに対して、当該領域Ｆ１ｃに設定された強度に基づき不鮮明処理が施される。例えば、図２に示す例では、映像Ｐ０Ａ中の領域Ｆ１ｃをぼかすようにマスクＭ１が表示されている例を示している。
【００３０】
なお、情報の開示度を示す強度は、複数レベルに分けて設定できるようにしてもよい。具体的な一例として、強度を「１」〜「５」の範囲で５段階に設定できるようにし、強度「１」の場合が情報の開示度が最も高く、次いで、「２」、「３」、「４」、「５」の順に情報の開示度が低くなるように設定してもよい。このような構成により、情報処理システム１は、例えば、強度「１」の場合には、開示度が最も高いため不鮮明処理を施さず、「２」、「３」、「４」、「５」の順に段階的に画像が不鮮明となるように映像Ｐ０Ａ中の領域Ｆ１ｃに対して不鮮明処理を施してもよい。なお、領域Ｆ１ｃに対して設定された強度に応じて、当該領域Ｆ１ｃに対して不鮮明処理を施すための構成や処理の詳細については後述する。
【００３１】
以上のようにして、拠点Ａ及びＢのユーザごとに、当該ユーザが所属する拠点の映像（即ち、当該ユーザが撮像される映像）に対して、領域が指定され、当該領域に対して開示度を設定される。
【００３２】
次に、情報処理システム１による、映像中に指定された領域の表示態様を制御する動作について説明する。情報処理システム１では、各ユーザが他のユーザに対する情報の開示度を強度として設定することができる。その一方で、情報処理システム１では、各ユーザ間において情報開示の不公平やプライバシーの侵害感を解消できるように、各ユーザに配信される映像に設定された領域の強度（即ち、不鮮明処理の度合い）を調整する。
【００３３】
具体的な一例として、情報処理システム１は、一のユーザが参照する映像に設定された領域における強度（即ち、情報の開示度であり、換言すると、不鮮明処理の度合い）と、他のユーザが参照する映像において当該一のユーザが設定した領域における強度とが等しくなるように、各領域の強度を調整する。そして、情報処理システム１は、調整された強度に基づき、当該強度が設定された領域の表示態様を制御する。この情報処理システム１による強度の調整と調整後の強度に基づく領域の表示態様の制御に係る処理の概要について、図３を参照しながら以下に説明する。図３は、本実施形態に係る情報処理システム１における不鮮明処理の一例を示した図であり、映像中に指定された領域の表示態様を制御する動作の一例について示している。
【００３４】
図３に示す例は、図１に示した構成のうち、ユーザＵａ、Ｕｃ、Ｕｄ、及びＵｆのそれぞれが操作する情報処理装置１０ａ、１０ｃ、１０ｄ、及び１０ｆとの関係に着目して、システム構成を簡略化して示している。また、映像Ｐ１ａは、システム２Ｂ側で撮像された拠点Ｂの映像に基づき、情報処理装置１０ａが表示部３２ａに表示させる映像を示している。同様に、映像Ｐ１ｃは、システム２Ｂ側で撮像された拠点Ｂの映像に基づき、情報処理装置１０ｃが表示部３２ｃに表示させる映像を示している。また、映像Ｐ１ｄは、システム２Ａ側で撮像された拠点Ａの映像に基づき、情報処理装置１０ｄが表示部３２ｄに表示させる映像を示している。同様に、映像Ｐ１ｆは、システム２Ａ側で撮像された拠点Ａの映像に基づき、情報処理装置１０ｆが表示部３２ｆに表示させる映像を示している。
【００３５】
また、図３に示す例において、ユーザＵａは、システム２Ｂ側に配信される拠点Ａの映像Ｐ０Ａ中の自身の領域に対して強度「１」を設定しているものとする。同様に、ユーザＵｃは、当該映像Ｐ０Ａ中の自身の領域に対して強度「３」を設定しているものとする。また、ユーザＵｄは、システム２Ａ側に配信される拠点Ｂの映像Ｐ０Ｂ中の自身の領域に対して強度「１」を設定しているものとする。同様に、ユーザＵｆは、当該映像Ｐ０Ｂ中の自身の領域に対して強度「５」を設定しているものとする。このような設定の元、情報処理システム１は、強度が「１」の場合には不鮮明処理を施さず、強度が「３」の場合には不鮮明処理を施し、「５」の場合には強度が「３」の場合よりも不鮮明度の高い不鮮明処理を施すものとする。
【００３６】
なお、以降では、強度が「３」の場合の不鮮明処理を、対応する領域に対して施される、強度が「５」の場合よりも不鮮明度の低いマスクＭ１によるマスク処理として模擬的に示す。同様に、強度が「５」の場合の不鮮明処理を、対応する領域に対して施される、強度が「３」の場合よりも不鮮明度の高いマスクＭ２によるマスク処理として模擬的に示す。なお、マスク処理は、あくまで不鮮明処理の一例であり、不鮮明処理はマスク処理には限定されない。
【００３７】
ここで、ユーザＵａとユーザＵｄとの関係に着目する。ユーザＵａ及びＵｄは、双方ともに自身の領域に対して強度「１」を設定している。そのため、情報処理システム１は、映像Ｐ１ｄ中のユーザＵａの領域と、映像Ｐ１ａ中のユーザＵｄの領域とには不鮮明処理を施していない。
【００３８】
次に、ユーザＵｃとユーザＵｄとの関係に着目する。ユーザＵｃは、自身の領域に対して強度「３」を設定している。そのため、情報処理システム１は、映像Ｐ１ｄ中のユーザＵｃの領域には不鮮明度の低いマスクＭ１による不鮮明処理を施す。
【００３９】
一方で、ユーザＵｃは、自身の領域に対して強度「１」を設定している。このとき、映像Ｐ１ｃ中のユーザＵｄの領域に対して、ユーザＵｄが設定した強度「１」に基づき不鮮明処理を施さなかったものとする。この場合には、ユーザＵｃは、映像Ｐ１ｃ中のユーザＵｄを参照することはできるが、ユーザＵｄは、映像Ｐ１ｄ中のユーザＵｃを参照できない状態となる。即ち、ユーザＵｄが、ユーザＵｃから一方的に見られている状態となる。
【００４０】
そのため、情報処理システム１は、映像Ｐ１ｃ中のユーザＵｄの領域に対して、映像Ｐ１ｄ中のユーザＵｃの領域と同様にマスクＭ１による不鮮明処理を施す。具体的には、情報処理システム１は、ユーザＵｃ及びＵｄそれぞれが設定した強度を比較し、より高い強度（この場合は、ユーザＵｃが設定した強度「３」）に基づき、映像Ｐ１ｃ中のユーザＵｄの領域、及び映像Ｐ１ｄ中のユーザＵｃの領域双方の表示態様を制御する。これにより、ユーザＵｃが映像Ｐ１ｃ中のユーザＵｄを参照する場合と、ユーザＵｄが映像Ｐ１ｄ中のユーザＵｃを参照する場合との間で情報開示の公平性が保たれる。
【００４１】
次に、ユーザＵｃとユーザＵｆとの関係に着目する。ユーザＵｃは、自身の領域に対して強度「３」を設定しており、ユーザＵｆは、自身の領域に対して強度「５」を設定している。
【００４２】
前述の通り、情報処理システム１は、ユーザＵｃ及びＵｆそれぞれが設定した強度を比較し、より高い強度に基づき、映像Ｐ１ｃ中のユーザＵｆの領域、及び映像Ｐ１ｆ中のユーザＵｃの領域双方の表示態様を制御する。この場合には、情報処理システム１は、ユーザＵｆが設定した強度「５」に基づき、映像Ｐ１ｃ中のユーザＵｆの領域、及び映像Ｐ１ｆ中のユーザＵｃの双方に不鮮明度の高いマスクＭ２による不鮮明処理を施すこととなる。
【００４３】
以上のように、本実施形態に係る情報処理システム１において、各ユーザは、自身が所属する拠点の映像（換言すると、自身が映った映像）に対して、領域を指定し、かつ、当該領域に強度（即ち、情報の開示度）を設定することができる。そのうえで、情報処理システム１は、一方の拠点のユーザに他方の拠点の映像を配信する場合に、当該映像中に設定された領域の強度を、映像を見る側のユーザが設定した強度と、当該領域に設定された強度（即ち、見られる側のユーザが設定した強度）とに基づき調整する。そして、情報処理システム１は、調整された強度に基づき、当該強度が設定された領域の表示態様を制御する（例えば、不鮮明処理を施す）。
【００４４】
本実施形態に係る情報処理システム１では、上記のような強度調整が、各ユーザに配信される映像それぞれに対して実行される。このような構成により、情報処理システム１では、映像を見る側のユーザ（即ち、一方の拠点のユーザ）と、見られる側のユーザ（即ち、他方の拠点のユーザ）との間で、情報開示度の公平性を保たれる。即ち、本実施形態に係る情報処理システム１に依れば、各拠点のユーザごとに情報の開示度を設定可能とし、かつ、各ユーザ間において情報開示の不公平やプライバシーの侵害感を解消できるように情報の開示度を調整することが可能となる。
【００４５】
なお、システム２Ａ側の撮像部９０Ａ、情報処理装置１０、表示部３２が、それぞれ、「第１の撮像部」、「第１の情報処理装置」、「第１の表示部」の一例に相当する。同様に、システム２Ｂ側の撮像部９０Ｂ、情報処理装置１０、表示部３２が、それぞれ、「第２の撮像部」、「第２の情報処理装置」、「第２の表示部」の一例に相当する。また、撮像部９０Ａの撮像に基づく映像が、「第１の画像」の一例に相当し、当該映像中に指定された領域が「第１の領域」の一例に相当する。同様に、撮像部９０Ｂの撮像に基づく映像が、「第２の画像」の一例に相当し、当該映像中に指定された領域が「第２の領域」の一例に相当する。
【００４６】
［情報処理装置の構成］
次に、図４を参照して、本実施形態に係る情報処理装置１０の構成について説明する。図４は、本実施形態に係る情報処理装置１０の構成を示したブロック図であり、情報処理装置１０ａと情報処理装置１０ｆとが相互に通信を行う場合を模擬的に示している。以降では、情報処理装置１０ａに着目しながら、情報処理装置１０の構成について説明する。なお、他の情報処理装置１０ｂ〜１０ｇについては、情報処理装置１０ａと同様の構成のため、詳細な説明は省略する。
【００４７】
図４に示すように、情報処理装置１０ａは、映像取得部１０２と、通信制御部１０４と、表示制御部１０６と、強度管理テーブル１０８ａと、強度制御部１１０とを含む。また、強度制御部１１０は、強度設定部１１２と、強度取得部１１４と、強度調整部１１６とを含む。なお、情報処理装置１０ａの動作は、主に、領域や強度を設定するための「前処理」と、設定された強度に基づき領域の表示態様を制御する「表示処理」との契機に分けられる。そこで、以降では、「前処理」と「表示処理」との契機に分けて、各契機で動作する構成に着目して説明することとする。
【００４８】
（前処理）
前処理では、情報処理装置１０ａは、撮像部９０Ａにより撮像された拠点Ａの映像Ｐ０Ａに対する領域及び強度の設定に係る処理を実行する。以下に、前処理の契機において動作する、情報処理装置１０ａの構成について説明する。
【００４９】
通信制御部１０４は、情報処理装置１０内の各構成が、他の情報処理装置１０とデータの送受信を行うための通信インタフェースである。なお、以降では、情報処理装置１０内の各構成が、他の情報処理装置１０や撮像部９０Ａ及び９０Ｂとデータの送受信を行う場合には、特に説明が無い限り、通信制御部１０４を介してデータの送受信を行うものとする。
【００５０】
映像取得部１０２は、撮像部９０Ａにより撮像された拠点Ａの映像Ｐ０Ａを取得する。映像取得部１０２は、取得した映像Ｐ０Ａを表示制御部１０６に出力する。
【００５１】
表示制御部１０６は、映像取得部１０２から拠点Ａの映像Ｐ０Ａを取得する。表示制御部１０６は、取得した映像Ｐ０Ａを表示部３２ａに表示させる。なお、拠点Ｂ側の情報処理装置１０の場合には、映像取得部１０２は、撮像部９０Ｂにより撮像された拠点Ｂの映像Ｐ０Ｂを取得し、表示制御部１０６は、当該映像Ｐ０Ｂを表示部３２に表示させることは言うまでもない。
【００５２】
映像Ｐ０Ａを表示部３２ａに表示させたら、表示制御部１０６は、映像Ｐ０Ａ中の領域の指定と当該領域に対する強度の設定に係るＵＩを表示部３２ａに表示させる。これにより、ユーザＵａは、入力部３４ａを介してＵＩを操作することで、映像Ｐ０Ａ中に領域を指定し、指定した領域に対して強度を設定することが可能となる。なお、領域の指定と強度の設定とに係るＵＩを表示させるための制御情報は、表示制御部１０６にあらかじめ記憶させておけばよい。また、映像Ｐ０Ａ中に領域を指定し、指定した領域に強度を設定できれば、領域の指定と強度の設定とを別々のＵＩにより実現してもよい。
【００５３】
強度設定部１１２は、表示部３２ａに表示されたＵＩを操作することでユーザＵａにより入力された、映像Ｐ０Ａ中の領域を示す情報を、入力部３４ａから取得する。なお、映像Ｐ０Ａ中の領域を特定できれば、当該領域を示す情報の態様は限定されない。例えば、映像Ｐ０Ａの縦軸方向に延伸する縦の辺と、横軸方向に延伸する横の辺とにより形成される矩形形状の領域を示す場合には、当該領域の左上の点の座標と、右上の点の座標とにより表現することができる。
【００５４】
なお、映像Ｐ０Ａ中の領域は、映像Ｐ０Ａ内の座標として指定してもよい。また、別の一例として、映像Ｐ０Ａが撮像された方向や倍率に基づいて仮想空間を定義し、当該仮想空間上の領域を指定するようにしてもよい。このように、仮想区間上の位置として領域を指定することで、例えば、撮像部９０Ａが映像Ｐ０Ａを撮像する方向や倍率を可変にした場合においても、実空間上の所望の領域に対応する映像Ｐ０Ａ中の領域を、仮想空間上の領域として指定することが可能となる。なお、仮想空間上の領域を指定する場合には、指定された仮想空間上の領域を、映像Ｐ０Ａ内の座標に置き換えてもよい。
【００５５】
また、強度設定部１１２は、表示部３２ａに表示されたＵＩを操作することで、映像Ｐ０Ａ中に指定された領域に対して、ユーザＵａにより設定された強度を示す情報を、入力部３４ａから取得する。
【００５６】
強度設定部１１２は、映像Ｐ０Ａ中に指定された領域を示す情報と、当該領域に設定された強度を示す情報とを、他のシステム（即ち、システム２Ｂ）側の情報処理装置１０に送信する。
【００５７】
なお、上記に前処理として説明した各処理は、例えば、情報処理装置１０ａが起動したときに実行させるとよい。また、上記に前処理として説明した各処理のうち、映像Ｐ０Ａ中の領域の指定と当該領域に対する強度の設定は、各設定に基づき取得した情報を情報処理装置１０ａ内に記憶させておけば、必ずしも情報処理装置１０ａが起動するたびに毎回実行する必要はない。
【００５８】
また、情報処理装置１０ａの起動後においても、強度の設定を適宜変更できるようにしてもよい。この場合には、強度設定部１１２は、強度の設定が変更された場合に、強度が変更された領域を示す情報と、変更後の強度を示す情報とを他のシステム（即ち、システム２Ｂ）側の情報処理装置１０に送信すればよい。
【００５９】
また、強度設定部１１２は、領域を示す情報と強度を示す情報とを送信した他の情報処理装置１０を管理し、これらの情報を送信していない他の情報処理装置１０が検知された場合に、検知された情報処理装置１０に、領域を示す情報と強度を示す情報とを送信してもよい。また、強度設定部１１２は、領域を示す情報と強度を示す情報とを、所定のタイミングごとに定期的に他の情報処理装置１０に送信してもよい。
【００６０】
（表示処理）
次に、情報処理装置１０ａによる表示処理について説明する。表示処理では、情報処理装置１０ａは、他のシステム側の撮像部（例えば、撮像部９０Ｂ）により撮像された他の拠点（例えば、拠点Ｂ）の映像と、当該映像中に指定された領域を示す情報、及び当該領域に設定された強度を示す情報とを取得する。情報処理装置１０ａは、取得した映像に対して、取得した領域を示す情報と、当該領域に設定された強度を示す情報とに基づき、取得した映像における当該領域の表示態様を制御して表示部３２ａに表示させる。以下に、表示処理の契機において動作する、情報処理装置１０ａの構成について説明する。なお、以降では、情報処理装置１０ａは、システム２Ｂ側の撮像部９０Ｂにより撮像された拠点Ｂの映像を取得するものとして説明する。
【００６１】
強度取得部１１４は、他のシステム（例えば、システム２Ｂ）側の情報処理装置１０の強度設定部１１２から、他の拠点の映像（例えば、拠点Ｂの映像Ｐ０Ｂ）中に指定された領域を示す情報と、当該領域に設定された強度を示す情報とを取得する。具体的な一例として、図１に示す構成の場合には、システム２Ａ側の情報処理装置１０ａの強度取得部１１４は、システム２Ｂ側の情報処理装置１０ｄ〜１０ｇそれぞれの強度設定部１１２から、映像Ｐ０Ｂ中に指定された領域を示す情報と、当該領域に設定された強度を示す情報とを取得する。
【００６２】
強度取得部１１４は、取得した領域を示す情報と強度を示す情報とを関連付けて強度管理テーブル１０８に記憶させる。なお、情報処理装置１０ａにおける強度管理テーブル１０８を「強度管理テーブル１０８ａ」と示す場合がある。また、情報処理装置１０ｂ〜１０ｇそれぞれの強度管理テーブル１０８についても同様に、「強度管理テーブル１０８ｂ」〜「強度管理テーブル１０８ｇ」と示す場合がある。
【００６３】
ここで、図５を参照する。図５は、本実施形態に係る強度管理テーブル１０８に記憶されるデータの一例を示した図であり、情報処理装置１０ａの強度管理テーブル１０８ａに記憶されるデータｄ１０ａを示している。なお、図５は、映像中に指定された領域と、当該領域対して設定された強度とをユーザごとに管理する例について示している。また、強度管理テーブル１０８ａ内に記憶されるデータＤ１０ａを、以降では「強度管理データｄ１０ａ」と呼ぶ場合がある。また、単に「強度管理データｄ１０ａ」と示した場合には、強度管理テーブル１０８ａ内に記憶された強度管理データｄ１０ａを示すものとする。
【００６４】
図５に示すように、強度管理データｄ１０ａは、ユーザＩＤｄ１０２と、領域ｄ１０４と、映像ｄ１０６と、強度ｄ１０８とを含む。
【００６５】
ユーザＩＤｄ１０２は、ユーザを識別するための識別情報である。
【００６６】
領域ｄ１０４は、映像中の領域を示す情報である。図５に示す例では、映像の縦軸方向に延伸する縦の辺と、横軸方向に延伸する横の辺とにより形成される矩形形状の領域を、当該領域の左上の点の座標と、右上の点の座標とにより示している。具体的には、「ｔｏｐ」及び「ｌｅｆｔ」は、左上の点の縦軸方向の座標及び横軸方向の座標をそれぞれ示している。また、「ｂｏｔｔｏｍ」及び「ｒｉｇｈｔ」は、右下の点の縦軸方向の座標及び横軸方向の座標をそれぞれ示している。
【００６７】
映像ｄ１０６は、領域ｄ１０４で示めされた領域が指定された映像を示している。また、強度ｄ１０８は、領域ｄ１０４で示めされた領域に対して指定された強度を示している。
【００６８】
前述したように、システム２Ａ側の情報処理装置１０ａの強度取得部１１４は、システム２Ｂ側の各情報処理装置１０の強度設定部１１２で、拠点Ｂの映像Ｐ０Ｂに設定された領域を示す情報と、当該領域に設定された強度を示す情報とを取得する。即ち、強度管理データｄ１０ａには、システム２Ｂ側（即ち、拠点Ｂ側）のユーザＵｄ〜Ｕｇにより指定された領域を示す情報と、当該領域に設定された強度を示す情報とが記憶される。
【００６９】
一方で、システム２Ｂ側の情報処理装置１０ｆの強度取得部１１４は、システム２Ａ側の各情報処理装置１０の強度設定部１１２で、拠点Ａの映像Ｐ０Ａに設定された領域を示す情報と、当該領域に設定された強度を示す情報とを取得する。そのため、例えば、システム２Ｂ側の情報処理装置１０ｆの強度管理テーブル１０８ｆ内の強度管理データｄ１０ｆには、システム２Ａ側（即ち、拠点Ａ側）のユーザＵａ〜Ｕｃにより指定された領域を示す情報と、当該領域に設定された強度を示す情報とが記憶されることとなる。図６は、本実施形態に係る強度管理テーブルに記憶されるデータの一例を示した図であり、情報処理装置１０ｆの強度管理テーブル１０８ｆに記憶される強度管理データｄ１０ｆを示している。
【００７０】
なお、強度取得部１１４による、他のシステム側の情報処理装置１０の強度設定部１１２から、領域を示す情報と強度を示す情報とを取得する処理については、特定の契機に限らず、リアルタイムで適宜実行してもよい。
【００７１】
強度調整部１１６は、強度管理データｄ１０ａを参照し、強度管理データｄ１０ａに記憶されたユーザごとの領域それぞれについて、当該領域に設定された強度と、ユーザＵａの指定に基づき強度設定部１１２により設定された強度とを比較する。そして、強度調整部１１６は、当該比較結果に基づき、表示部３２ａに映像Ｐ０Ｂが表示される際の各領域の表示態様（即ち、不鮮明度）を制御するための強度を調整する。
【００７２】
例えば、強度調整部１１６は、強度管理データｄ１０ａに記憶されたユーザＵｆに対応する領域に設定された強度と、ユーザＵａの指定に基づく強度とを比較することで、ユーザＵｆに対応する領域の表示態様を制御するための強度を調整する。具体的な一例として、ユーザＵｆに対応する領域には強度「５」が設定され、ユーザＵａの指定に基づく強度が「１」だったとする。この場合には、強度調整部１１６は、より情報開示度の低い強度、即ち、ユーザＵｆに対応する領域に設定された強度「５」を、ユーザＵｆに対応する領域の表示態様を制御するための強度とする。
【００７３】
また、他の一例として、ユーザＵｅに対応する領域には強度「１」が設定され、ユーザＵａの指定に基づく強度が「３」だったとする。この場合には、強度調整部１１６は、より情報開示度の低い強度、即ち、ユーザＵａの指定に基づく強度「３」を、ユーザＵｅに対応する領域の表示態様を制御するための強度とする。
【００７４】
以上のようにして、強度調整部１１６は、強度管理データｄ１０ａに記憶された領域を示す情報それぞれについて、当該領域の表示態様を制御するための強度を調整する。強度調整部１１６は、各領域を示す情報と、当該領域それぞれに対応する調整後の強度を示す情報とを、表示制御部１０６に出力する。
【００７５】
なお、強度調整部１１６が上述した強度の調整に係る処理を実行するタイミングは、運用に応じて適宜設定すればよい。例えば、強度調整部１１６は、上述した強度の調整に係る処理を初回起動時に実行してもよい。また、他の一例として、強度調整部１１６は、上述した強度の調整に係る処理を所定のタイミングで（例えば、あらかじめ決められた時間に）実行してもよいし、所定のタイミングごとに定期的に実行してもよい。また、他の一例として、強度調整部１１６は、強度管理データｄ１０ａが更新された場合に、当該更新に連動して上述した強度の調整に係る処理を実行してもよい。
【００７６】
表示制御部１０６は、システム２Ｂ側の撮像部９０Ｂで撮像された映像Ｐ０Ｂを取得する。このとき、表示制御部１０６は、撮像部９０Ｂで撮像された動画を映像Ｐ０Ｂとして取得してもよいし、静止画を映像Ｐ０Ｂとして取得してもよい。また、表示制御部１０６は、撮像部９０Ｂによりリアルタイムで撮像された動画を映像Ｐ０Ｂとして逐次取得してもよい。
【００７７】
また、表示制御部１０６は、強度調整部１１６から、映像Ｐ０Ｂに対して設定された各領域を示す情報と、当該各領域に設定された強度（調整後の強度）を示す情報とを取得する。
【００７８】
表示制御部１０６は、強度調整部１１６から取得した各領域を示す情報に基づき、当該情報が示す撮像部９０Ｂから取得した映像Ｐ０Ｂ中の領域を特定する。そして、表示制御部１０６は、特定した各領域の表示態様を、当該領域に設定された強度（即ち、調整後の強度）に基づき不鮮明に表示されるように制御する。表示制御部１０６は、各領域の表示態様が制御された映像Ｐ０Ｂを、表示部３２ａに表示させる。
【００７９】
なお、各領域の表示態様を制御する方法として、例えば、表示制御部１０６は、映像Ｐ０Ｂ中の各領域が、当該領域に設定された強度に基づき不鮮明に表示されるように、画像処理を施してもよい。適用する画像処理としては、例えば、映像をぼかす処理や、モザイクをかける処理が挙げられる。なお、映像をぼかす場合には、表示制御部１０６は、各領域に設定された強度が高くなるほど（即ち、情報の開示度が低くなるほど）、当該領域が不鮮明に表示されるようにぼかしを調整すればよい。また、モザイクをかける場合には、表示制御部１０６は、各領域に設定された強度が高くなるほど、当該領域にかけるモザイクが荒くなるように制御すればよい。なお、映像Ｐ０Ｂに対して画像処理を施すことで各領域の表示態様を制御する場合には、表示制御部１０６は、画像処理後の映像Ｐ０Ｂを表示部３２ａに表示させればよい。
【００８０】
また、他の一例として、表示部３２の表示面３２２の前面に液晶シャッター３２４を設け、表示制御部１０６が当該液晶シャッター３２４を制御することで、各領域の表示態様を制御してもよい。例えば、図７は、不鮮明処理を実現するための構成の一例を示した図であり、表示部３２の表示面３２２の前面に液晶シャッター３２４を設ける場合の一例について示している。
【００８１】
液晶シャッター３２４は、例えば、２次元に配置され液晶からなり、個々の液晶は、透明度（換言すると、不鮮明度）を制御可能に構成されている。このような液晶シャッター３２４を、図７に示すように、表示部３２の表示面３２２の前面に配置する。
【００８２】
表示制御部１０６は、表示部３２に映像Ｐ０Ｂを表示させた場合に、映像Ｐ０Ｂ中に指定された各領域に対応する、液晶シャッター３２４中の領域を特定する。表示制御部１０６は、特定した液晶シャッター３２４中の領域に含まれる各液晶の透明度を、対応する映像Ｐ０Ｂ中の領域に設定された強度に基づき制御する。
【００８３】
具体的な一例として、図７に示す例では、表示制御部１０６は、映像Ｐ０Ｂ中に設定された領域Ｆ１ｆに対応する、液晶シャッター３２４中の領域Ｆ２ｆを特定する。そして、表示制御部１０６は、領域Ｆ２ｆに含まれる各液晶の透明度を、領域Ｆ１ｆに設定された強度に基づき制御する。このような構成により、領域Ｆ２ｆに含まれる液晶の透明度が表示制御部１０６により制御され、液晶シャッター３２４の領域Ｆ２ｆが重畳される映像Ｐ０Ｂ中の領域Ｆ１ｆが不鮮明に表示されることとなる。
【００８４】
同様にして、表示制御部１０６は、映像Ｐ０Ｂ中に設定された領域Ｆ１ｅに対応する、液晶シャッター３２４中の領域Ｆ２ｅを特定し、領域Ｆ２ｅに含まれる各液晶の透明度を、領域Ｆ１ｅに設定された強度に基づき制御する。これにより、領域Ｆ２ｅに含まれる液晶の透明度が表示制御部１０６により制御され、液晶シャッター３２４の領域Ｆ２ｅが重畳される映像Ｐ０Ｂ中の領域Ｆ１ｅが不鮮明に表示される。
【００８５】
以上のように、表示制御部１０６は、画像処理が施された映像Ｐ０Ｂを表示部３２ａに表示させることで不鮮明な表示を実現してもよいし、映像Ｐ０Ｂを表示部３２ａに表示させ、かつ、液晶シャッター３２４を制御することで不鮮明な表示を実現してもよい。なお、撮像部９０Ｂによる撮像に基づく画像と記載した場合には、撮像部９０Ｂに撮像された映像Ｐ０Ｂと、画像処理が施された映像Ｐ０Ｂとのいずれかを示すものとする。これは、撮像部９０Ａによる撮像に基づく画像についても同様である。
【００８６】
以上のようにして、表示部３２に表示される映像Ｐ０Ｂ中の各領域の表示態様が、当該領域に設定された強度に基づき不鮮明に表示されるように制御される。
【００８７】
［処理］
次に、本実施形態に係る情報処理システム１の一連の処理の流れについて、図８を参照しながら説明する。図８は、本実施形態に係る情報処理システム１における処理の流れを示したフローチャートである。なお、ここでは、図１に示した構成における、システム２Ａ側の情報処理装置１０ａと、システム２Ｂ側の情報処理装置１０ｄ及び１０ｆとの動作に着目して説明する。なお、図８では、情報処理装置１０ｄとユーザＵｄとの間の処理と、情報処理装置１０ｆとユーザＵｆとの間の処理とについて図示を省略している。
【００８８】
（ステップＳ１０２ａ）
情報処理装置１０ａの映像取得部１０２は、撮像部９０Ａにより撮像された拠点Ａの映像Ｐ０Ａを取得する。映像取得部１０２は、取得した映像Ｐ０Ａを表示制御部１０６に出力する。
【００８９】
（ステップＳ１０４ａ）
情報処理装置１０ａの表示制御部１０６は、映像取得部１０２から拠点Ａの映像Ｐ０Ａを取得する。表示制御部１０６は、取得した映像Ｐ０Ａを表示部３２ａに表示させる。
【００９０】
映像Ｐ０Ａを表示部３２ａに表示させたら、情報処理装置１０ａの表示制御部１０６は、映像Ｐ０Ａ中の領域の指定と当該領域に対する強度の設定に係るＵＩを表示部３２ａに表示させる。
【００９１】
（ステップＳ１０６ａ）
ユーザＵａは、入力部３４ａを介してＵＩを操作することで映像Ｐ０Ａ中に領域を指定し、指定した領域に対して強度を設定する。
【００９２】
（ステップＳ１０８ａ）
情報処理装置１０ａの強度設定部１１２は、表示部３２ａに表示されたＵＩを操作することでユーザＵａにより入力された、映像Ｐ０Ａ中の領域を示す情報を、入力部３４ａから取得する。
【００９３】
また、情報処理装置１０ａの強度設定部１１２は、表示部３２ａに表示されたＵＩを操作することで、映像Ｐ０Ａ中に指定された領域に対して、ユーザＵａにより設定された強度を示す情報を、入力部３４ａから取得する。
【００９４】
（ステップＳ１１０ｄ、Ｓ１１０ｆ）
情報処理装置１０ａの強度設定部１１２は、映像Ｐ０Ａ中に指定された領域を示す情報と、当該領域に設定された強度を示す情報とを、通信制御部１０４を介して、情報処理装置１０ｄ及び１０ｆに送信する。
【００９５】
（ステップＳ１１２ｄ）
情報処理装置１０ｄの強度取得部１１４は、情報処理装置１０ａの強度設定部１１２から、映像Ｐ０Ａ中に指定された領域を示す情報と、当該領域に設定された強度を示す情報とを取得する。情報処理装置１０ｄの強度取得部１１４は、取得した領域を示す情報と強度を示す情報とを関連付けて強度管理テーブル１０８ｄに強度管理データｄ１０ｄとして記憶させる。
【００９６】
（ステップＳ１１２ｆ）
同様に、情報処理装置１０ｆの強度取得部１１４は、情報処理装置１０ａの強度設定部１１２から、映像Ｐ０Ａ中に指定された領域を示す情報と、当該領域に設定された強度を示す情報とを取得する。情報処理装置１０ｆの強度取得部１１４は、取得した領域を示す情報と強度を示す情報とを関連付けて強度管理テーブル１０８ｆに強度管理データｄ１０ｆとして記憶させる。
【００９７】
（ステップＳ１０２ｄ）
また、情報処理装置１０ｄの映像取得部１０２は、撮像部９０Ｂにより撮像された拠点Ｂの映像Ｐ０Ｂを取得する。映像取得部１０２は、取得した映像Ｐ０Ｂを表示制御部１０６に出力する。
【００９８】
情報処理装置１０ｄの表示制御部１０６は、映像取得部１０２から拠点Ｂの映像Ｐ０Ｂを取得する。表示制御部１０６は、取得した映像Ｐ０Ｂを表示部３２ｄに表示させる。
【００９９】
情報処理装置１０ｄの表示制御部１０６は、映像Ｐ０Ｂ中の領域の指定と当該領域に対する強度の設定に係るＵＩを表示部３２ｄに表示させる。
【０１００】
ユーザＵｄは、入力部３４ｄを介して、映像Ｐ０Ｂ中に領域を指定し、指定した領域に対して強度を設定する。
【０１０１】
（ステップＳ１０８ｄ）
情報処理装置１０ｄの強度設定部１１２は、表示部３２ｄに表示されたＵＩを操作することでユーザＵｄにより入力された、映像Ｐ０Ｂ中の領域を示す情報を、入力部３４ｄから取得する。
【０１０２】
また、情報処理装置１０ｄの強度設定部１１２は、表示部３２ｄに表示されたＵＩを操作することで、映像Ｐ０Ｂ中に指定された領域に対して、ユーザＵｄにより設定された強度を示す情報を、入力部３４ｄから取得する。
【０１０３】
（ステップＳ１１４ｄ）
情報処理装置１０ｄの強度設定部１１２は、映像Ｐ０Ｂ中に指定された領域を示す情報と、当該領域に設定された強度を示す情報とを、通信制御部１０４を介して、情報処理装置１０ａに送信する。
【０１０４】
（ステップＳ１０２ｆ）
また、情報処理装置１０ｆについても、情報処理装置１０ｄと同様である。即ち、情報処理装置１０ｆの映像取得部１０２は、撮像部９０Ｂにより撮像された拠点Ｂの映像Ｐ０Ｂを取得する。映像取得部１０２は、取得した映像Ｐ０Ｂを表示制御部１０６に出力する。
【０１０５】
情報処理装置１０ｆの表示制御部１０６は、映像取得部１０２から拠点Ｂの映像Ｐ０Ｂを取得する。表示制御部１０６は、取得した映像Ｐ０Ｂを表示部３２ｆに表示させる。
【０１０６】
映像Ｐ０Ｂを表示部３２ｆに表示させたら、情報処理装置１０ｆの表示制御部１０６は、映像Ｐ０Ｂ中の領域の指定と当該領域に対する強度の設定に係るＵＩを表示部３２ｆに表示させる。
【０１０７】
ユーザＵｆは、入力部３４ｆを介して、映像Ｐ０Ｂ中に領域を指定し、指定した領域に対して強度を設定する。
【０１０８】
（ステップＳ１０８ｆ）
情報処理装置１０ｆの強度設定部１１２は、表示部３２ｆに表示されたＵＩを操作することでユーザＵｆにより入力された、映像Ｐ０Ｂ中の領域を示す情報を、入力部３４ｆから取得する。
【０１０９】
また、情報処理装置１０ｆの強度設定部１１２は、表示部３２ｄに表示されたＵＩを操作することで、映像Ｐ０Ｂ中に指定された領域に対して、ユーザＵｆにより設定された強度を示す情報を、入力部３４ｆから取得する。
【０１１０】
（ステップＳ１１４ｆ）
情報処理装置１０ｆの強度設定部１１２は、映像Ｐ０Ｂ中に指定された領域を示す情報と、当該領域に設定された強度を示す情報とを、通信制御部１０４を介して、情報処理装置１０ａに送信する。
【０１１１】
（ステップＳ１１６ａ）
情報処理装置１０ａの強度取得部１１４は、情報処理装置１０ｄ及び１０ｆそれぞれの強度設定部１１２から、映像Ｐ０Ｂ中に指定された領域を示す情報と、当該領域に設定された強度を示す情報とを取得する。情報処理装置１０ａの強度取得部１１４は、取得した領域を示す情報と強度を示す情報とを関連付けて強度管理テーブル１０８ａに強度管理データｄ１０ａとして記憶させる。
【０１１２】
（ステップＳ１１８ａ）
情報処理装置１０ａの表示制御部１０６は、システム２Ｂ側の撮像部９０Ｂで撮像された映像Ｐ０Ｂを取得する。
【０１１３】
（ステップＳ１２０ｄ、Ｓ１２０ｆ）
また、情報処理装置１０ｄの表示制御部１０６は、システム２Ａ側の撮像部９０Ａで撮像された映像Ｐ０Ａを取得する（ステップＳ１２０ｄ）。同様に、情報処理装置１０ｆの表示制御部１０６は、システム２Ａ側の撮像部９０Ａで撮像された映像Ｐ０Ａを取得する（ステップＳ１２０ｆ）。
【０１１４】
（ステップＳ１２２ａ）
ここで、システム２Ａ側のユーザＵａによる領域及び強度の設定と、システム２Ｂ側のユーザＵｄによる領域及び強度の設定との関係に着目する。なお、ユーザＵａに対応する領域と、ユーザＵｄに対応する領域との双方には強度「１」が設定されているものとする。
【０１１５】
情報処理装置１０ａの強度調整部１１６は、強度管理データｄ１０ａを参照し、強度管理データｄ１０ａに記憶されたユーザごとの領域それぞれについて、当該領域に設定された強度と、ユーザＵａの指定に基づき強度設定部１１２により設定された強度とを比較する。そして、情報処理装置１０ａの強度調整部１１６は、当該比較結果に基づき、表示部３２ａに映像Ｐ０Ｂが表示される際の各領域の表示態様（即ち、不鮮明度）を制御するための強度を調整する。
【０１１６】
上述の通り、ユーザＵｄに対応する領域には強度「１」が設定され、ユーザＵａの指定に基づく強度が「１」が設定されている。この場合には、双方の強度が共に「１」のため、情報処理装置１０ａの強度調整部１１６は、強度「１」を、ユーザＵｄに対応する領域の表示態様を制御するための強度とする。
【０１１７】
（ステップＳ１２４ａ）
情報処理装置１０ａの表示制御部１０６は、強度調整部１１６から、映像Ｐ０Ｂに対して設定されたユーザＵｄに対応する領域を示す情報と、当該各領域に設定された強度（即ち、強度「１」）を示す情報とを取得する。
【０１１８】
情報処理装置１０ａの表示制御部１０６は、強度調整部１１６から取得したユーザＵｄに対応する領域に基づき、当該情報が示す撮像部９０Ｂから取得した映像Ｐ０Ｂ中の領域を特定する。そして、表示制御部１０６は、特定したユーザＵｄに対応する領域の表示態様を、当該領域に設定された強度（即ち、強度「１」）に基づき制御する。この場合には、強度「１」が設定されているため、表示制御部１０６は、ユーザＵｄに対応する領域に対して不鮮明処理を施さないこととなる。情報処理装置１０ａの表示制御部１０６は、ユーザＵｄに対応する領域の表示態様が制御された映像Ｐ０Ｂを、表示部３２ａに表示させる。
【０１１９】
（ステップＳ１２２ｄ）
他方で、情報処理装置１０ｄの強度調整部１１６は、強度管理データｄ１０ｄを参照し、強度管理データｄ１０ｄに記憶されたユーザごとの領域それぞれについて、当該領域に設定された強度と、ユーザＵｄの指定に基づき強度設定部１１２により設定された強度とを比較する。そして、情報処理装置１０ｄの強度調整部１１６は、当該比較結果に基づき、表示部３２ｄに映像Ｐ０Ｂが表示される際の各領域の表示態様（即ち、不鮮明度）を制御するための強度を調整する。
【０１２０】
上述の通り、ユーザＵｄに対応する領域には強度「１」が設定され、ユーザＵａの指定に基づく強度が「１」が設定されている。この場合には、双方の強度が共に「１」のため、情報処理装置１０ｄの強度調整部１１６は、強度「１」を、ユーザＵｄに対応する領域の表示態様を制御するための強度とする。
【０１２１】
情報処理装置１０ｄの表示制御部１０６は、強度調整部１１６から、映像Ｐ０Ａに対して設定されたユーザＵａに対応する領域を示す情報と、当該各領域に設定された強度（即ち、強度「１」）を示す情報とを取得する。
【０１２２】
情報処理装置１０ｄの表示制御部１０６は、強度調整部１１６から取得したユーザＵａに対応する領域に基づき、当該情報が示す撮像部９０Ａから取得した映像Ｐ０Ａ中の領域を特定する。そして、表示制御部１０６は、特定したユーザＵａに対応する領域の表示態様を、当該領域に設定された強度（即ち、強度「１」）に基づき制御する。この場合には、強度「１」が設定されているため、表示制御部１０６は、ユーザＵａに対応する領域に対して不鮮明処理を施さないこととなる。情報処理装置１０ｄの表示制御部１０６は、ユーザＵａに対応する領域の表示態様が制御された映像Ｐ０Ａを、表示部３２ｄに表示させる。
【０１２３】
以上のようにして、表示部３２ａに表示される映像Ｐ０Ｂ中のユーザＵｄに対応する領域の表示態様と、表示部３２ｄに表示される映像Ｐ０Ａ中のユーザＵａに対応する領域の表示態様とが、同じ強度「１」に基づき制御される。
【０１２４】
（ステップＳ１２２ａ）
次に、システム２Ａ側のユーザＵａによる領域及び強度の設定と、システム２Ｂ側のユーザＵｆによる領域及び強度の設定との関係に着目する。なお、ユーザＵａに対応する領域には強度「１」が設定され、ユーザＵｆに対応する領域には強度が「５」が設定されているものとする。
【０１２５】
情報処理装置１０ａの強度調整部１１６は、強度管理データｄ１０ａを参照し、強度管理データｄ１０ａに記憶されたユーザごとの領域それぞれについて、当該領域に設定された強度と、ユーザＵａの指定に基づき強度設定部１１２により設定された強度とを比較する。そして、情報処理装置１０ａの強度調整部１１６は、当該比較結果に基づき、表示部３２ａに映像Ｐ０Ｂが表示される際の各領域の表示態様（即ち、不鮮明度）を制御するための強度を調整する。
【０１２６】
上述の通り、ユーザＵｆに対応する領域には強度「５」が設定され、ユーザＵａの指定に基づく強度が「１」が設定されている。この場合には、情報処理装置１０ａの強度調整部１１６は、より情報開示度の低い強度、即ち、ユーザＵｆに対応する領域に設定された強度「５」を、ユーザＵｆに対応する領域の表示態様を制御するための強度とする。
【０１２７】
（ステップＳ１２４ａ）
情報処理装置１０ａの表示制御部１０６は、強度調整部１１６から、映像Ｐ０Ｂに対して設定されたユーザＵｆに対応する領域を示す情報と、当該各領域に設定された強度（即ち、強度「５」）を示す情報とを取得する。
【０１２８】
情報処理装置１０ａの表示制御部１０６は、強度調整部１１６から取得したユーザＵｆに対応する領域に基づき、当該情報が示す撮像部９０Ｂから取得した映像Ｐ０Ｂ中の領域を特定する。そして、表示制御部１０６は、特定したユーザＵｆに対応する領域の表示態様を、当該領域に設定された強度（即ち、強度「５」）に基づき制御する。この場合には、強度「５」が設定されているため、表示制御部１０６は、ユーザＵｆに対応する領域を、強度「５」に基づき不鮮明に表示されるように制御することとなる。情報処理装置１０ａの表示制御部１０６は、ユーザＵｆに対応する領域の表示態様が制御された映像Ｐ０Ｂを、表示部３２ａに表示させる。
【０１２９】
（ステップＳ１２２ｄ）
他方で、情報処理装置１０ｆの強度調整部１１６は、強度管理データｄ１０ｆを参照し、強度管理データｄ１０ｆに記憶されたユーザごとの領域それぞれについて、当該領域に設定された強度と、ユーザＵｆの指定に基づき強度設定部１１２により設定された強度とを比較する。そして、情報処理装置１０ｆの強度調整部１１６は、当該比較結果に基づき、表示部３２ｆに映像Ｐ０Ｂが表示される際の各領域の表示態様（即ち、不鮮明度）を制御するための強度を調整する。
【０１３０】
上述の通り、ユーザＵｆに対応する領域には強度「５」が設定され、ユーザＵａの指定に基づく強度が「１」が設定されている。この場合には、情報処理装置１０ｆの強度調整部１１６は、より情報開示度の低い強度、即ち、ユーザＵｆに対応する領域に設定された強度「５」を、ユーザＵａに対応する領域の表示態様を制御するための強度とする。
【０１３１】
情報処理装置１０ｆの表示制御部１０６は、強度調整部１１６から、映像Ｐ０Ａに対して設定されたユーザＵａに対応する領域を示す情報と、当該各領域に設定された強度（即ち、強度「５」）を示す情報とを取得する。
【０１３２】
情報処理装置１０ｆの表示制御部１０６は、強度調整部１１６から取得したユーザＵａに対応する領域に基づき、当該情報が示す撮像部９０Ａから取得した映像Ｐ０Ａ中の領域を特定する。そして、表示制御部１０６は、特定したユーザＵａに対応する領域の表示態様を、当該領域に設定された強度（即ち、強度「５」）に基づき制御する。
この場合には、強度「５」が設定されているため、表示制御部１０６は、ユーザＵａに対応する領域を、強度「５」に基づき不鮮明に表示されるように制御することとなる。情報処理装置１０ｆの表示制御部１０６は、ユーザＵａに対応する領域の表示態様が制御された映像Ｐ０Ａを、表示部３２ｆに表示させる。
【０１３３】
以上のようにして、表示部３２ａに表示される映像Ｐ０Ｂ中のユーザＵｆに対応する領域の表示態様と、表示部３２ｆに表示される映像Ｐ０Ａ中のユーザＵａに対応する領域の表示態様とが、同じ強度「５」に基づき制御される。
【０１３４】
なお、ユーザＵａの帰宅等により情報処理装置１０ａを停止した場合に、他の情報処理装置１０に表示された映像中におけるユーザＵａに対応する領域に設定された不鮮明処理が解除されるように動作させてもよい。この場合の処理の一例について、図９を参照しながら以下に説明する。図９は、本実施形態に係る情報処理システム１における処理の流れを示したフローチャートであり、情報処理装置１０ａが停止した場合における情報処理システム１の動作の一例を示している。
【０１３５】
（ステップＳ２０２ａ）
ユーザＵａは、情報処理装置１０ａに停止を指示する。情報処理装置１０ａに停止が指示されると、情報処理装置１０ａの強度設定部１１２は、映像Ｐ０Ａ中に指定されたユーザＵａに対応する領域の強度を、情報の開示度が高くなるように変更する。ここでは、ユーザＵａに対応する領域の強度が「１」に更新されたものとする。
【０１３６】
（ステップＳ２０４ｄ、Ｓ２０４ｆ）
情報処理装置１０ａの強度設定部１１２は、映像Ｐ０Ａ中に指定されたユーザＵａに対応する領域を示す情報と、当該領域に設定された更新後の強度（即ち、強度「１」）を示す情報とを、通信制御部１０４を介して、情報処理装置１０ｄ及び１０ｆに送信する。
【０１３７】
（ステップＳ２０６ｄ）
情報処理装置１０ｄの強度取得部１１４は、情報処理装置１０ａの強度設定部１１２から、映像Ｐ０Ａ中に指定された領域を示す情報と、当該領域に設定された強度を示す情報とを取得する。情報処理装置１０ｄの強度取得部１１４は、取得した領域を示す情報と強度を示す情報とにより、強度管理テーブル１０８ｄ内の強度管理データｄ１０ｄにおける、ユーザＵａに対応する情報を更新する。なお、強度管理データｄ１０ｄ内のユーザＵａに対応する情報の更新を受けて、情報処理装置１０ｄの表示制御部１０６は、映像Ｐ０Ａ中のユーザＵａに対応する領域の表示態様を、更新後の強度（即ち、強度「１」）に基づき更新してもよい。
【０１３８】
（ステップＳ２０６ｆ）
同様に、情報処理装置１０ｆの強度取得部１１４は、情報処理装置１０ａの強度設定部１１２から、映像Ｐ０Ａ中に指定された領域を示す情報と、当該領域に設定された強度を示す情報とを取得する。情報処理装置１０ｆの強度取得部１１４は、取得した領域を示す情報と強度を示す情報とにより、強度管理テーブル１０８ｆ内の強度管理データｄ１０ｆにおける、ユーザＵａに対応する情報を更新する。なお、強度管理データｄ１０ｆ内のユーザＵａに対応する情報の更新を受けて、情報処理装置１０ｆの表示制御部１０６は、映像Ｐ０Ａ中のユーザＵａに対応する領域の表示態様を、更新後の強度（即ち、強度「１」）に基づき更新してもよい。
【０１３９】
（ステップＳ２０８ａ）
また、情報処理装置１０ａの強度制御部１１０は、情報処理装置１０ａを停止する場合に、強度管理テーブル１０８ａに記憶された強度管理データｄ１０ａを削除してもよい。なお、情報処理装置１０ａの停止時に強度管理データｄ１０ａを削除した場合には、情報処理装置１０ａを起動した際に改めて他の情報処理装置１０から領域を示す情報と当該領域に設定された強度を示す情報とを取得し、強度管理データｄ１０ａとして強度管理テーブル１０８ａに記憶させればよい。
【０１４０】
［まとめ］
以上のように、本実施形態に係る情報処理システム１において、各ユーザは、自身が所属する拠点の映像（換言すると、自身が映った映像）に対して、領域を指定し、かつ、当該領域に強度（即ち、情報の開示度）を設定することができる。そのうえで、情報処理システム１は、一方の拠点のユーザに他方の拠点の映像を配信する場合に、当該映像中に設定された領域の強度を、映像を見る側のユーザが設定した強度と、当該領域に設定された強度（即ち、見られる側のユーザが設定した強度）とに基づき調整する。そして、情報処理システム１は、調整された強度に基づき、当該強度が設定された領域の表示態様を制御する（例えば、不鮮明処理を施す）。
【０１４１】
本実施形態に係る情報処理システム１では、上記のような強度調整が、各ユーザに配信される映像それぞれに対して実行される。このような構成により、情報処理システム１では、映像を見る側のユーザ（即ち、一方の拠点のユーザ）と、見られる側のユーザ（即ち、他方の拠点のユーザ）との間で、情報開示度の公平性を保たれる。即ち、本実施形態に係る情報処理システム１に依れば、各拠点のユーザごとに情報の開示度を設定可能とし、かつ、各ユーザ間において情報開示の不公平やプライバシーの侵害感を解消できるように情報の開示度を調整することが可能となる。
【０１４２】
なお、上記に示す例では、システム２Ａ及び２Ｂの双方において、複数の情報処理装置１０が含まれるｍ対ｎの構成について説明したが、システム２Ａ及び２Ｂのうちのいずれかが情報処理装置１０単体の構成、即ち、１対ｎの構成についても実現可能であることは言うまでもない。例えば、図１０は、実施形態に係る情報処理システムにおける不鮮明処理の一例を示した図であり、１対ｎの構成の一例を示している。この場合には、システム２Ａ側においては、拠点Ａの映像を取得するための撮像部９０Ａに替えて、ユーザＵａ個人の映像を取得するための撮像部９１ａを設けてもよい。
【０１４３】
また、上記に示す例では、実空間上の位置に対応する映像中の領域を指定していたが、映像中に指定する領域を各ユーザに対応付けて、当該ユーザに領域が追随するようにしてもよい。この場合には、各情報処理装置１０は、実空間上または映像中における各ユーザの位置を特定し、特定したユーザの位置に基づき、映像中における当該ユーザに対応する領域を特定すればよい。
【０１４４】
なお、映像中におけるユーザの位置を特定できれば、その方法は限定されない。例えば、各ユーザが所有する端末（例えば、スマートフォン）の電波を利用し、当該端末からの電波の強度による３点測量により、実空間中におけるユーザの位置を特定してもよい。この場合には、例えば映像に対する画像解析等を適用することで、特定した実空間中の位置を映像中におけるユーザの位置に変換すればよい。なお、各端末にユーザを示すタグを設定することで、当該タグにより各ユーザを識別することも可能である。また、ユーザの２次元位置のみが特定でき、高さについては特定できない場合においても、一般的なユーザの体形を想定して領域が設定される高さをあらかじめ決定しておけばよい。また、スマートフォンに限らず、例えば、ＵＷＢ（Ｕｌｔｒａ  Ｗｉｄｅ  Ｂａｎｄ）のような無線技術を用いてもよい。
【０１４５】
また、他の一例として、センサを用いて実空間上におけるユーザの位置を特定してもよい。具体的な一例として、床面にセンサを設置し、当該センサが反応したか否かに応じてユーザの位置を検出してもよい。また、他の一例として、レーザー光を用いた位置検出を利用してもよく、ユーザの位置が特定できればその方法は限定されない。
【０１４６】
また、他の一例として、映像中からユーザの位置を直接検出してもよい。具体的な一例として、例えば、ユーザから撮像部に向けて可視光を照射し、当該可視光を明滅させることで当該ユーザを示すＩＤを通知してもよい（例えば、可視光通信を応用してもよい）。この場合には、情報処理装置１０は、映像中から可視光を検出することで、検出された可視光の位置をユーザの位置として認識して領域を設定し、当該可視光の明滅によりユーザを識別すればよい。また、顔認識により各ユーザを認識してもよい。顔認識より各ユーザを認識する場合には、例えば、当該ユーザが画面や撮像部の方向を見ているか否かに応じて、強度の設定をダイナミックに変更できるようにしてもよい。
【０１４７】
また、上述した実施形態では、各ユーザの設定を情報処理装置１０と関連付けて説明したが、例えば、各ユーザの設定を当該ユーザの認証情報ごとに管理してもよい。このように、認証情報ごとに各ユーザの設定を管理することで、ユーザが異なる情報処理装置１０を操作した場合においても、当該ユーザの設定を適用することが可能となる。
【０１４８】
＜変形例１＞
次に、変形例１として、各ユーザに配信される映像（各表示部３２に表示される映像）の表示態様の一例について説明する。上述した実施形態では、図３に示すように各ユーザが設定した領域ごとに表示態様を変更していた。一方で、各ユーザが設定した領域の表示態様が、映像を見る側のユーザが設定した強度と、見られる側のユーザが設定した強度とに基づき調整されれば、各ユーザに配信される映像の表示態様は、図３に示す例には限定されない。そこで、変形例１として、図３に示す例とは異なる一例について、図１１を参照しながら説明する。図１１は、変形例１に係る情報処理システム１における不鮮明処理の一例を示した図である。
【０１４９】
図１１に示す例では、図３の場合と同様に、図１に示した構成のうち、ユーザＵａ、Ｕｃ、Ｕｄ、及びＵｆのそれぞれが操作する情報処理装置１０ａ、１０ｃ、１０ｄ、及び１０ｆとの関係に着目して、システム構成を簡略化して示している。また、図１１における映像Ｐ１ａ’、Ｐ１ｃ’、Ｐ１ｄ’、及びＰ１ｆ’は、図３における映像Ｐ１ａ、Ｐ１ｃ、Ｐ１ｄ、及びＰ１ｆにそれぞれ対応している。
【０１５０】
また、各情報処理装置１０に設定された強度と、当該強度に基づく不鮮明処理との関係は、図３に示す例と同様である。即ち、図１１に示す例において、ユーザＵａは、システム２Ｂ側に配信される拠点Ａの映像Ｐ０Ａ中の自身の領域に対して強度「１」を設定し、ユーザＵｃは、当該映像Ｐ０Ａ中の自身の領域に対して強度「３」を設定しているものとする。また、ユーザＵｄは、システム２Ａ側に配信される拠点Ｂの映像Ｐ０Ｂ中の自身の領域に対して強度「１」を設定し、ユーザＵｆは、当該映像Ｐ０Ｂ中の自身の領域に対して強度「５」を設定しているものとする。
【０１５１】
ここで、情報処理装置１０ｃの動作に着目して、変形例１に係る情報処理システム１における映像の表示態様について説明する。情報処理装置１０ｃは、映像Ｐ１ｃ’に示すように、ユーザＵｃが設定した強度「３」に基づき映像Ｐ１ｃ’全体にマスクＭ３による不鮮明処理を施し、かつ、ユーザＵｃが設定した強度よりも高い強度「５」が設定されたユーザＵｆに対応する領域に対してマスクＭ２による不鮮明処理を施している。このとき、ユーザＵｃが設定した強度以下の強度が設定された領域は、映像Ｐ１ｃ’全体に施されたマスクＭ３により、強度「３」に基づく不鮮明処理が施されることとなる。
【０１５２】
ここで、ユーザＵａとユーザＵｄとの関係に着目する。ユーザＵａ及びＵｄは、双方ともに自身の領域に対して強度「１」を設定している。そのため、情報処理装置１０ａは、映像Ｐ１ａ’全体に対して不鮮明処理を施さず、かつ、映像Ｐ１ａ’中のユーザＵｄの領域に対しても不鮮明処理を施していない。これは、情報処理装置１０ｄ側についても同様である。即ち、情報処理装置１０ｄは、映像Ｐ１ｄ’全体に対して不鮮明処理を施さず、かつ、映像Ｐ１ｄ’中のユーザＵａの領域に対しても不鮮明処理を施していない。
【０１５３】
次に、ユーザＵｃとユーザＵｄとの関係に着目する。ユーザＵｃは、自身の領域に対して強度「３」を設定しており、ユーザＵｄは、自身の領域に対して強度「１」を設定している。
【０１５４】
この場合には、情報処理装置１０ｃは、映像Ｐ１ｃ’全体に対して強度「３」に基づくマスクＭ３により不鮮明処理を施す。なお、映像Ｐ１ｃ’のユーザＵｄに対応する領域には、ユーザＵｃが設定した強度「３」よりも低い強度「１」が設定されている。そのため、情報処理装置１０ｃは、マスクＭ３により不鮮明処理が施された映像Ｐ１ｃ’におけるユーザＵｄに対応する領域の表示態様を変更する処理は行わない。即ち、映像Ｐ１ｃ’におけるユーザＵｄに対応する領域は、強度「３」に対応するマスクＭ３により不鮮明に表示されていることとなる。
【０１５５】
また、情報処理装置１０ｄは、前述の通り、映像Ｐ１ｄ’全体に対して不鮮明処理を施していない。そのうえで、情報処理装置１０ｄは、ユーザＵｄが設定した強度「１」と、映像Ｐ１ｄ’中のユーザＵｃに対応する領域に設定された強度「３」とを比較し、当該比較結果に基づきユーザＵｃに対応する領域の表示態様を制御する。この場合には、情報処理装置１０ｄは、映像Ｐ１ｄ’におけるユーザＵｃに対応する領域に対して、より強度の高い強度「３」に対応するマスクＭ１により不鮮明処理を施すことで、当該領域の表示態様を変更する。即ち、映像Ｐ１ｄ’におけるユーザＵｃに対応する領域は、強度「３」に対応するマスクＭ１により不鮮明に表示されていることとなる。これにより、ユーザＵｃが映像Ｐ１ｃ’中のユーザＵｄを参照する場合と、ユーザＵｄが映像Ｐ１ｄ’中のユーザＵｃを参照する場合との間で情報開示の公平性が保たれる。
【０１５６】
次に、ユーザＵｃとユーザＵｆとの関係に着目する。ユーザＵｃは、自身の領域に対して強度「３」を設定しており、ユーザＵｆは、自身の領域に対して強度「５」を設定している。
【０１５７】
前述の通り、情報処理装置１０ｃは、映像Ｐ１ｃ’全体に対して強度「３」に基づくマスクＭ３により不鮮明処理を施す。なお、映像Ｐ１ｃ’のユーザＵｆに対応する領域には、ユーザＵｃが設定した強度「３」よりも高い強度「５」が設定されている。そのうえで、情報処理装置１０ｃは、ユーザＵｃが設定した強度「３」と、映像Ｐ１ｃ’中のユーザＵｆに対応する領域に設定された強度「５」とを比較し、当該比較結果に基づきユーザＵｆに対応する領域の表示態様を制御する。この場合には、情報処理装置１０ｃは、映像Ｐ１ｃ’におけるユーザＵｆに対応する領域に対して、より強度の高い強度「５」に対応するマスクＭ２により不鮮明処理を施すことで、当該領域の表示態様を変更する。即ち、映像Ｐ１ｃ’におけるユーザＵｆに対応する領域は、強度「５」に対応するマスクＭ２により不鮮明に表示されていることとなる。
【０１５８】
また、情報処理装置１０ｆは、映像Ｐ１ｆ’全体に対して強度「５」に基づくマスクＭ４により不鮮明処理を施す。そのうえで、情報処理装置１０ｆは、ユーザＵｆが設定した強度「５」と、映像Ｐ１ｆ’中のユーザＵｃに対応する領域に設定された強度「３」とを比較し、当該比較結果に基づきユーザＵｃに対応する領域の表示態様を制御する。この場合には、情報処理装置１０ｆは、マスクＭ４により不鮮明処理が施された映像Ｐ１ｃ’におけるユーザＵｃに対応する領域の表示態様を変更する処理は行わない。即ち、映像Ｐ１ｆ’におけるユーザＵｃに対応する領域は、強度「５」に対応するマスクＭ４により不鮮明に表示されていることとなる。これにより、ユーザＵｃが映像Ｐ１ｃ’中のユーザＵｆを参照する場合と、ユーザＵｆが映像Ｐ１ｆ’中のユーザＵｃを参照する場合との間で情報開示の公平性が保たれる。
【０１５９】
以上、図１１に示すように、各ユーザに配信する映像の表示態様を変更した場合においても、前述の実施形態に係る情報処理システム１と同様に、映像を見る側のユーザ（即ち、一方の拠点のユーザ）と、見られる側のユーザ（即ち、他方の拠点のユーザ）との間で、情報開示度の公平性を保たれる。即ち、変形例１に係る情報処理システム１においても、各拠点のユーザごとに情報の開示度を設定可能とし、かつ、各ユーザ間において情報開示の不公平やプライバシーの侵害感を解消できるように情報の開示度を調整することが可能となる。
【０１６０】
＜変形例２＞
次に、変形例２に係る情報処理システム１’について説明する。上述の実施形態では、各情報処理装置１０が、他の拠点の情報処理装置１０から領域を示す情報と強度を示す情報とを取得し、取得した領域を示す情報と強度を示す情報とに基づき、他の拠点の映像に対して不鮮明処理を施していた。一方で、サーバ５０を設けることで、各情報処理装置１０で設定された領域を示す情報や当該領域に設定された強度を示す情報の管理や、取得した映像に指定された領域に対して不鮮明処理を施す処理を、サーバ５０で一元処理してもよい。そこで、変形例２では、図１２を参照しながら、システム２Ａ及び２Ｂのそれぞれにサーバ５０を設け、領域を示す情報及び強度を示す情報の管理と、各ユーザに配信する映像に対する不鮮明処理とを当該サーバ５０により一元管理する例について説明する。図１２は、変形例２に係る情報処理システム１’の概略的な構成を示した図である。
【０１６１】
図１２に示すように、変形例２に係る情報処理システム１’は、サーバ５０Ａ及び５０Ｂを含む点で、上述した実施形態に係る情報処理システム１（図１参照）と異なる。変形例２に係る情報処理システム１’では、サーバ５０Ａ及び５０Ｂが、上述した実施形態に係る情報処理システム１におけるシステム２Ａ及び２Ｂ内の各情報処理装置１０の役割を担う。即ち、変形例２に係る情報処理システム１’のようにサーバ５０Ａ及び５０Ｂにより一元管理を行う場合には、上述した実施形態に係る情報処理システム１において各情報処理装置１０に含まれた構成（図４参照）を、サーバ５０Ａ及び５０Ｂに設ければよい。
【０１６２】
そこで、以降では、サーバ５０Ａの動作について、上述した実施形態に係る情報処理システム１における情報処理装置１０の場合と異なる動作に着目して説明する。なお、サーバ５０Ｂの構成は、サーバ５０Ａの構成と同様であるため、詳細な説明は省略する。
【０１６３】
サーバ５０Ａは、図４に示す情報処理装置１０と同様に、映像取得部１０２と、通信制御部１０４と、通信制御部１０４と、強度制御部１１０と、強度管理テーブル１０８とを含む。また、強度制御部１１０は、強度設定部１１２と、強度取得部１１４と、強度調整部１１６とを含む。
【０１６４】
サーバ５０Ａの映像取得部１０２は、システム２Ａ内の情報処理装置１０ａ〜１０ｃから領域の指定及び強度設定に係る依頼を受けて、撮像部９０Ａにより撮像された拠点Ａの映像Ｐ０Ａを取得し、取得した映像Ｐ０Ａを表示制御部１０６に出力する。ここでは、情報処理装置１０ａから依頼があったものとして説明する。サーバ５０Ａの表示制御部１０６は、取得した映像Ｐ０Ａを、依頼元の情報処理装置１０ａに出力する。これにより、情報処理装置１０ａに接続された表示部３２ａに、撮像部９０Ａによる撮像に基づく映像Ｐ０Ａが表示される。
【０１６５】
また、サーバ５０Ａの表示制御部１０６は、映像Ｐ０Ａ中の領域の指定と当該領域に対する強度の設定に係るＵＩを、依頼元の情報処理装置１０ａに出力する。これにより、情報処理装置１０ａに接続された表示部３２ａに、当該ＵＩが表示され、ユーザＵａは、入力部３４ａを介してＵＩを操作することで映像Ｐ０Ａ中に領域を指定し、指定した領域に対して強度を設定することが可能となる。
【０１６６】
サーバ５０Ａの強度設定部１１２は、表示部３２ａに表示されたＵＩを操作することでユーザＵａにより入力された、映像Ｐ０Ａ中の領域を示す情報を、情報処理装置１０ａから取得する。
【０１６７】
また、サーバ５０Ａの強度設定部１１２は、表示部３２ａに表示されたＵＩを操作することで、映像Ｐ０Ａ中に指定された領域に対して、ユーザＵａにより設定された強度を示す情報を、情報処理装置１０ａから取得する。
【０１６８】
サーバ５０Ａの強度設定部１１２は、情報処理装置１０ａから取得した領域を示す情報と、当該領域に設定された強度を示す情報とを、強度管理テーブル１０８に強度管理データｄ１２として記憶させる。また、サーバ５０Ａの強度設定部１１２は、システム２Ａ内の他の情報処理装置１０からも、同様にして、領域を示す情報と、当該領域に設定された強度を示す情報とを取得し、強度管理データｄ１２として記憶させる。
【０１６９】
ここで、図１３を参照する。図１３は、変形例２に係る強度管理テーブル１０８に記憶されるデータ、即ち、強度管理データｄ１２の一例を示した図である。図１３に示すように、強度管理データｄ１２は、前述の実施形態における強度管理データｄ１０（図５、図６参照）と同様に、ユーザＩＤｄ１０２と、領域ｄ１０４と、映像ｄ１０６と、強度ｄ１０８とを含む。なお、強度管理データｄ１２におけるユーザＩＤｄ１０２、領域ｄ１０４、映像ｄ１０６、及び強度ｄ１０８は、前述の実施形態に係る強度管理データｄ１０におけるユーザＩＤｄ１０２、領域ｄ１０４、映像ｄ１０６、及び強度ｄ１０８と同様である。
【０１７０】
一方で、変形例２に係る強度管理データｄ１２は、システム２Ａ側の各ユーザ（即ち、ユーザＵａ〜Ｕｃ）に対応する情報ｄ１２１Ａと、システム２Ｂ側の各ユーザ（ユーザＵｄ〜Ｕｇ）に対応する情報ｄ１２１Ｂの双方を記憶する点で、前述の実施形態における強度管理データｄ１０と異なる。この図１３に示す強度管理データｄ１２の構成は、サーバ５０Ａ及び５０Ｂの双方ともに同様である。
【０１７１】
なお、サーバ５０Ａ側の場合には、図１３に示す強度管理データｄ１２のうち、システム２Ａ側の各ユーザに対応する情報ｄ１２１Ａは、強度設定部１１２により取得され、システム２Ｂ側の各ユーザに対応する情報ｄ１２１Ｂは、強度取得部１１４により取得される。また、サーバ５０Ｂ側の場合には、強度管理データｄ１２のうち、システム２Ｂ側の各ユーザに対応する情報ｄ１２１Ｂは、強度設定部１１２により取得され、システム２Ａ側の各ユーザに対応する情報ｄ１２１Ａは、強度取得部１１４により取得されることとなる。
【０１７２】
サーバ５０Ａの強度設定部１１２は、強度管理データｄ１２のうち、強度設定部１１２により取得されたシステム２Ａ側の各ユーザに対応する情報ｄ１２１Ａを、サーバ５０Ｂに送信する。
【０１７３】
また、サーバ５０Ａの強度取得部１１４は、サーバ５０Ｂの強度設定部１１２により取得されたシステム２Ｂ側の各ユーザに対応する情報ｄ１２１Ｂを、サーバ５０Ｂから取得する。強度取得部１１４は、取得した情報ｄ１２１Ｂを、強度管理データｄ１２として記憶させる。以上により、サーバ５０Ａ及び５０Ｂの双方は、システム２Ａ及び２Ｂの各ユーザが設定した領域を示す情報と、当該領域に設定された強度を示す情報とを取得し、強度管理データｄ１２として記憶する。
【０１７４】
次に、サーバ５０Ａが、撮像部９０Ｂで撮像された拠点Ｂ側の映像Ｐ０Ｂを、各ユーザＵａに配信する場合の動作について、ユーザＵａに配信する（表示部３２ａに表示させる）場合の動作に着目して説明する。
【０１７５】
サーバ５０Ａの強度調整部１１６は、強度管理データｄ１２を参照し、情報ｄ１２１Ａの中からユーザＵａに対応する強度を抽出する。そして、強度調整部１１６は、情報ｄ１２１Ｂに含まれるユーザごとの領域それぞれについて、当該領域に設定された強度と、抽出したユーザＵａに対応する強度とを比較する。そして、強度調整部１１６は、当該比較結果に基づき、表示部３２ａに映像Ｐ０Ｂが表示される際の各領域の表示態様（即ち、不鮮明度）を制御するための強度を調整する。なお、領域ごとの強度の調整方法は、前述した実施形態に係る情報処理システム１と同様である。
【０１７６】
サーバ５０Ａの強度調整部１１６は、情報ｄ１２１Ｂに含まれるユーザごとの領域を示す情報（即ち、映像Ｐ０Ｂに対して設定された各領域を示す情報）と、当該領域それぞれに対応する調整後の強度を示す情報とを、表示制御部１０６に出力する。
【０１７７】
サーバ５０Ａの表示制御部１０６は、システム２Ｂ側の撮像部９０Ｂで撮像された映像Ｐ０Ｂを取得する。また、表示制御部１０６は、強度調整部１１６から、映像Ｐ０Ｂに対して設定された各領域を示す情報と、当該各領域に設定された強度（調整後の強度）を示す情報とを取得する。
【０１７８】
サーバ５０Ａの表示制御部１０６は、強度調整部１１６から取得した各領域を示す情報に基づき、当該情報が示す撮像部９０Ｂから取得した映像Ｐ０Ｂ中の領域を特定する。そして、表示制御部１０６は、特定した各領域の表示態様を、当該領域に設定された強度（即ち、調整後の強度）に基づき不鮮明に表示されるように制御する。表示制御部１０６は、各領域の表示態様が制御された映像Ｐ０Ｂを、情報処理装置１０ａに配信する。これにより、情報処理装置１０ａに接続された表示部３２ａに、サーバ５０Ａの表示制御部１０６から配信された映像Ｐ０Ｂが表示される。
【０１７９】
なお、サーバ５０Ａから情報処理装置１０ｃに映像Ｐ０Ｂを配信する場合には、サーバ５０Ａの強度調整部１１６は、情報ｄ１２１Ａの中からユーザＵｃに対応する強度を抽出する。そして、強度調整部１１６は、情報ｄ１２１Ｂに含まれるユーザごとの領域それぞれについて、当該領域に設定された強度と、抽出したユーザＵａに対応する強度とを比較することで、強度を調整すればよい。
【０１８０】
同様に、サーバ５０Ｂから情報処理装置１０ｆに撮像部９０Ａで取得された映像Ｐ０Ａを配信する場合には、サーバ５０Ｂの強度調整部１１６は、情報ｄ１２１Ｂの中からユーザＵｆに対応する強度を抽出する。そして、強度調整部１１６は、情報ｄ１２１Ａに含まれるユーザごとの領域それぞれについて、当該領域に設定された強度と、抽出したユーザＵｆに対応する強度とを比較することで、強度を調整すればよい。
【０１８１】
なお、上記では、システム２Ａ及び２Ｂそれぞれにサーバ５０を設ける例について説明したが、システム２Ａ及び２Ｂの各情報処理装置１０に対する処理を、単一のサーバ５０で一元管理する構成としてもよい。
【０１８２】
以上のように、変形例２に係る情報処理システム１’では、サーバ（サーバ５０Ａ及び５０Ｂ）を設けることで、当該サーバにより、領域を示す情報及び強度を示す情報の管理と、各ユーザに配信する映像に対する不鮮明処理とを一元管理することが可能となる。なお、変形例２に係る情報処理システム１’により、上述した実施形態に係る情報処理システム１と同様に、各拠点のユーザごとに情報の開示度を設定可能とし、かつ、各ユーザ間において情報開示の不公平やプライバシーの侵害感を解消できるように情報の開示度を調整することが可能となることは言うまでもない。
【０１８３】
なお、上述した一連の動作は、情報処理装置１０やサーバ５０Ａ及び５０ＢのＣＰＵを機能させるためのプログラムによって構成することができる。このプログラムは、その装置にインストールされたＯＳ（Ｏｐｅｒａｔｉｎｇ  Ｓｙｓｔｅｍ）を介して実行されるように構成してもよい。また、このプログラムは、上述した処理を実行する構成が含まれる装置が読み出し可能であれば、記憶される位置は限定されない。例えば、装置の外部から接続される記録媒体にプログラムが格納されていてもよい。この場合には、プログラムが格納された記録媒体を装置に接続することによって、その装置のＣＰＵに当該プログラムを実行させるように構成するとよい。
【０１８４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１８５】
１、１’  情報処理システム
１０、１０ａ〜１０ｇ  情報処理装置
１０２  映像取得部
１０４  通信制御部
１０６  表示制御部
１０８  強度管理テーブル
１１０  強度制御部
１１２  強度設定部
１１４  強度取得部
１１６  強度調整部
３２、３２ａ〜３２ｇ  表示部
３２２  表示面
３２４  液晶シャッター
３４、３４ｄ〜３４ｇ  入力部
５０、５０Ａ、５０Ｂ  サーバ
９０Ａ、９０Ｂ  撮像部
９１ａ  撮像部
【図１】
2015012369.tif 000003
【図２】
2015012369.tif 000004
【図３】
2015012369.tif 000005
【図４】
2015012369.tif 000006
【図５】
2015012369.tif 000007
【図６】
2015012369.tif 000008
【図７】
2015012369.tif 000009
【図８】
2015012369.tif 000010
【図９】
2015012369.tif 000011
【図１０】
2015012369.tif 000012
【図１１】
2015012369.tif 000013
【図１２】
2015012369.tif 000014
【図１３】
2015012369.tif 000015